(57)【要約】【課題】予め決められた場所に虫を寄せ付けにくくするとともに、カバーの汚れによる照度の低下を抑制する。【解決手段】この照明器具１ｂは、光源２、点灯回路３、本体４ａ、カバー５ｂを備え、部屋６の天井面６０に取り付けられている。  光源２から発光されカバー５ｂで透過した光は、波長が約３００ｎｍから約３９５ｎｍまでの光が略１００％カットされ、波長が約４０５ｎｍの光の透過率が約５０％以下となり、約４５０ｎｍ以上の光の平均透過率が約５０％以上となる。これに対し、光源２から発光されカバー５ｂで反射した光は、底面４０ａ又は側面４１ａに到達し、波長が約３００ｎｍから約３９５ｎｍまでの光が略１００％カットされ、波長が約４０５ｎｍの光の反射率が約５０％以下となり、波長が約４０５ｎｍ以上の光の平均反射率が約５０％以上となり反射し、隙間５００を通って部屋６を照射する。【選択図】図１
2006127915.tif 000002
【特許請求の範囲】
【請求項１】
光を発光する光源と、
波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、開口部を形成し、前記光源を内側に取り囲む箱状のカバーと、
前記光源を設置し、波長が約３００ｎｍから約３９５ｎｍまでの光を略１００％カットし、波長が約４０５ｎｍの光の反射率が約５０％以下となり、波長が約４０５ｎｍ以上の光の平均反射率が約５０％以上となるようにカット率及び反射率が調整された反射面を前記光源側に有し、前記開口部の少なくとも一部を塞ぐように設けられる本体と
を備えることを特徴とする照明器具。
【請求項２】
光を発光する光源と、
波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、開口部を形成し、前記光源を内側に取り囲む箱状のカバーと、
光を透光させる透光性材料からなり、前記光源を設置し、前記開口部の少なくとも一部を塞ぐように設けられる本体と
を備えることを特徴とする照明器具。
【請求項３】
光を発光する光源と、
前記光源を一の面に設置し、他の面が天井面と当接する本体と、
波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、前記光源を内側に取り囲む筒状のカバーと
を備え、
前記カバーの一端側が開口している
ことを特徴とする照明器具。
【請求項４】
光を発光する光源と、
波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、前記光源を内側に取り囲む筒状のカバーと、
前記カバーを支持する支持部と
を備え、
前記カバーの一端側が開口している
ことを特徴とする照明器具。
【請求項５】
壁面に設置され、光を発光する光源と、
波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、前記光源を挟んで前記壁面と対向して設けられるカバーと
を備え、
前記壁面と前記カバーとの間のうち少なくとも一部が開口している
ことを特徴とする照明器具。
【発明の詳細な説明】
【技術分野】
【０００１】
本発明は、例えば、虫を寄せ付けにくくする照明器具に関するものである。
【背景技術】
【０００２】
従来、この種の照明器具は、直管型蛍光灯を光源とし、光源から発光された光のうち虫を誘引しやすい波長の光を取り除くカバーを備え、器具自身の設置方向を変えることにより照射方向を調節するといった指向性を有するものであった。しかしながら、上記照明器具は、器具自身の設置方向により、暗い場所が発生して使い勝手が悪いという問題があった。
【０００３】
上記問題を解決するものとして、特許文献１には、円環状のランプを覆うドーム状のグローブを、紫外線吸収剤、染料又は顔料を添加した透光性合成樹脂で形成し、各波長の光のカット率及び透過率を調整することにより、光に誘引される虫の数を低減するシーリングタイプの照明器具が開示されている。特許文献１のように全方向照射型の光源を有する照明器具に虫を寄せ付けにくい光フィルタ（カバー）を用いることで、器具自身の設置方向に関係なく光を制御することができる。
【特許文献１】特開２００４−２４７１５６号公報（第４，５頁及び第１図）
【発明の開示】
【発明が解決しようとする課題】
【０００４】
しかしながら、特許文献１に開示された照明器具等は、光源からの全ての光がカバーを透過して外部を照射するので、長期間の使用によりカバーに汚れが付着すると、照度を大きく低下させてしまうという問題があった。また、照明器具の設置場所全体に対して虫を寄せ付けにくくする場合は少なく、人が認識する場所のみ虫を寄せ付けにくくすればよい場合が多い。
【０００５】
本発明は上記の点に鑑みて為されたものであり、その目的とするところは、予め決められた場所に虫を寄せ付けにくくすることができるとともに、カバーの汚れによる照度の低下を抑制することができる照明器具を提供することにある。
【課題を解決するための手段】
【０００６】
請求項１に記載の発明は、光を発光する光源と、波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、開口部を形成し、前記光源を内側に取り囲む箱状のカバーと、前記光源を設置し、波長が約３００ｎｍから約３９５ｎｍまでの光を略１００％カットし、波長が約４０５ｎｍの光の反射率が約５０％以下となり、波長が約４０５ｎｍ以上の光の平均反射率が約５０％以上となるようにカット率及び反射率が調整された反射面を前記光源側に有し、前記開口部の少なくとも一部を塞ぐように設けられる本体とを備えることを特徴とする。
【０００７】
この構成では、予め決められた場所に虫を寄せ付けにくくすることができるとともに、カバーの汚れによる照度の低下を抑制することができる。また、光源がカバー及び本体により完全に覆われていない非密閉型器具であっても、虫が照明器具の内部に侵入することを防止することができるので、使用者への視覚的な不快感を低減することができる。
【０００８】
請求項２に記載の発明は、光を発光する光源と、波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、開口部を形成し、前記光源を内側に取り囲む箱状のカバーと、光を透光させる透光性材料からなり、前記光源を設置し、前記開口部の少なくとも一部を塞ぐように設けられる本体とを備えることを特徴とする。
【０００９】
この構成では、予め決められた場所に虫を寄せ付けにくくすることができるとともに、カバーの汚れによる照度の低下を抑制することができる。また、光源から発光された光が本体を透過することによっても照射することができるので、カバーに汚れが付着する前から高い照度を確保することができる。
【００１０】
請求項３に記載の発明は、光を発光する光源と、前記光源を一の面に設置し、他の面が天井面と当接する本体と、波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、前記光源を内側に取り囲む筒状のカバーとを備え、前記カバーの一端側が開口していることを特徴とする。
【００１１】
この構成では、予め決められた場所に虫を寄せ付けにくくすることができるとともに、カバーの汚れによる照度の低下を抑制することができる。また、光源から発光された光がカバーで取り囲まれていない部分からも照射することができるので、カバーに汚れが付着する前から高い照度を確保することができる。
【００１２】
請求項４に記載の発明は、光を発光する光源と、波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、前記光源を内側に取り囲む筒状のカバーと、前記カバーを支持する支持部とを備え、前記カバーの一端側が開口していることを特徴とする。
【００１３】
この構成では、予め決められた場所に虫を寄せ付けにくくすることができるとともに、カバーの汚れによる照度の低下を抑制することができる。また、光源から発光された光がカバーで取り囲まれていない部分からも照射することができるので、カバーに汚れが付着する前から高い照度を確保することができる。
【００１４】
請求項５に記載の発明は、壁面に設置され、光を発光する光源と、波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなり、前記光源を挟んで前記壁面と対向して設けられるカバーとを備え、前記壁面と前記カバーとの間のうち少なくとも一部が開口していることを特徴とする。
【００１５】
この構成では、予め決められた場所に虫を寄せ付けにくくすることができるとともに、カバーの汚れによる照度の低下を抑制することができる。また、光源から発光された光がカバーで取り囲まれていない部分からも照射することができるので、カバーに汚れが付着する前から高い照度を確保することができる。
【発明の効果】
【００１６】
本発明によれば、予め決められた場所に虫を寄せ付けにくくすることができるとともに、カバーの汚れによる照度の低下を抑制することができる。
【発明を実施するための最良の形態】
【００１７】
（実施形態１）
先ず、実施形態１の基本的な構成について説明する。実施形態１の照明器具１は、図２（ａ）に示すように、光源２、点灯回路３、本体４、カバー５を備え、例えば部屋６の天井面６０、壁面等の住宅構造材に取り付けられている屋内用照明器具である。なお、実施形態１では、部屋６の天井面６０に設置されている。上記部屋６は、壁面（図示せず）に窓（図示せず）を有し、上記窓を介して照明器具１からの光が屋外（図示せず）に照射している。
【００１８】
光源２は、例えば放電灯（蛍光灯等）、白熱電球、ＨＩＤランプ、発光ダイオード等のランプであり、点灯回路３からの電力により光を発光する。なお、蛍光灯には、環状型蛍光灯、電球型蛍光灯等があり、実施形態１では、光源２として環状型蛍光灯を用いている。
【００１９】
点灯回路３は、後述する本体４の底面４０の内面４００に設置され、入力側で電源（図示せず）と接続し、出力側で光源２と電気的に接続し、光源２の点灯及び消灯を制御している。なお、電源は、例えば商用電力等であり、交流電力を点灯回路３に供給している。
【００２０】
例えば光源２が放電灯の場合、点灯回路３は、整流部、チョッパ、インバータ、共振回路を備えている。整流部は、電源（図示せず）から入力した交流電力を平滑な直流電力に変換する。チョッパは、整流部から入力した直流電力をインバータに適した直流電力に変換する。インバータは、チョッパから入力した直流電力を高周波電力に変換する。共振回路は、インバータから高周波電力を入力し、高周波電力の周波数に基づいて高周波電力の大きさを変換する。上記のようにして大きさが変換された高周波電力を光源２に出力する。
【００２１】
本体４は、例えば鋼板等であり、底面４０、側面４１により箱状を形成し、後述するカバー５の開口部５０を塞いでいる。底面４０は、内面４００側（図２（ａ）の下側）から見て円形状を形成し、中心付近に孔部（図示せず）を形成している。側面４１は、カバー５を取り付けるために用いられる溝（図示せず）を内側に設けている。上記孔部から取付アダプタ（図示せず）を天井面６０側に出し、上記取付アダプタを天井面６０に設置されている引掛コンセント（図示せず）に引掛接続し、外面４０１が天井面６０と当接するようにして、本体４を天井面６０に設置する。また、本体４は、内面４００に、点灯回路３を設置するとともに、保持ばね（図示せず）等により光源２を設置している。
【００２２】
カバー５は、後述する透光性材料により成形された射出成形部材であり、例えば扁平な箱状のドーム体を形成し、光源２を内側に取り囲んでいる。また、カバー５は、上記ドーム体の上面中央部に円状の開口部５０を形成し、上記開口部５０の周縁部の外側に、本体４の下面にカバー５を取り付けるために用いられる溝（図示せず）を設けている。なお、カバー５の形状は限定されるものではなく、用途の応じて適宜選択することができる。
【００２３】
カバー５は、波長が約３００ｎｍから約３９５ｎｍまでの光を略１００％カットし、波長が約４０５ｎｍの光の透過率が約５０％以下となり、波長が約４０５ｎｍ以上の光の平均透過率が約５０％以上となるようにカット率及び透過率が調整された透光性材料からなる。なお、光源２から発光された光に誘引される虫がさらに低減するためには、波長が約４０５ｎｍの光の透過率を約１０％以下とすることが望ましい。
【００２４】
上記透光性材料として、例えば、アクリル（ＰＭＭＡ）樹脂、ポリカーボネイト（ＰＣ）樹脂、ポリスチレン（ＰＳ）樹脂、ポリエチレン（ＰＥ）樹脂、ポリエチレンテレフタレート（ＰＥＴ）樹脂、ＰＳ樹脂とＰＥ樹脂からなるＰＳ／ＰＥアロイ等の透光性合成樹脂の何れかに、紫外線吸収剤、染料及び顔料のうち少なくとも一つを添加したものがある。
【００２５】
上記紫外線吸収剤は、例えば、ベンゾトリアゾール系化合物、ヒドロキシフェニルトリアジン系化合物、トリスレゾルシノールトリアジン系化合物等である。
【００２６】
ベンゾトリアゾール系化合物としては、２−（２−ヒドロキシ−５−ｔ−ブチルフェニル）−２Ｈ−ベンゾトリアゾール（例えばチバ・スペシャルティ・ケミカル社製の商品名「チヌビンＰＳ」）、２−（２Ｈ−ベンゾトリアゾール−２−イル）−４，６−ジ−ｔ−ペンチルフェノール（例えばチバ・スペシャルティ・ケミカル社製の商品名「チヌビン３２８」）、２−（２Ｈ−ベンゾトリアゾール−２−イル）−４，６−ビス（１−メチル−１−フェニルエチル）フェノール、α−［３−［３−（２Ｈ−ベンゾトリアゾール−２−イル）−５−（１，１−ジメチルエチル）−４−ヒドロキシフェニル］−１−オキソプロピル］−ω−ヒドロキシポリ（オキソ−１，２−エタンジイル）（例えばチバ・スペシャルティ・ケミカル社製の商品名「チヌビン１１３０」）等がある。
【００２７】
また、ベンゾトリアゾール系化合物としては、クロル基を有するものがある。上記クロル基を有するベンゾトリアゾール系化合物としては、具体的には、オクチル−３−［３−ｔ−ブチル−４−ヒドロキシ５−（５−クロロ−２Ｈ−ベンゾトリアゾール−２−イル）フェニル］プロピオネート（例えばチバ・スペシャルティ・ケミカル社製の商品名「チヌビン１０９」）、２−［５−クロロ（２Ｈ）−ベンゾトリアゾール−２−イル］−４−メチル−６−（ｔ−ブチル）フェノール（例えばチバ・スペシャルティ・ケミカル社製の商品名「チヌビン３２６」）、２，４−ジ−ｔ−ブチル−６−（５−クロロ−ベンゾトリアゾール−２−イル）フェノール（例えばチバ・スペシャルティ・ケミカル社製の商品名「チヌビン３２７」）がある。
【００２８】
ヒドロキシフェニルトリアジン系化合物としては、２−［４−［（２−ヒドロキシ−３−ドデシルオキシプロピル）オキシ］−２−ヒドロキシフェニル］−４，６−ビス（２，４−ジメチルフェニル）−１，３，５−トリジアン、２−［４−［（２−ヒドロキシ−３−トリデシルオキシプロピル）オキシ］−２−ヒドロキシフェニル］−４，６−ビス（４，６−ビス（２，４−ジメチルフェニル））−１，３，５−トリジアン、２，４−ビス（２，４−ジメチルフェニル）−６−（２−ヒドロキシ−４−イソ−オクチルフェニル）−ｓ−トリアジン等がある。市販品としては、チバ・スペシャルティ・ケミカル社製の商品名「チヌビン４００」（２−［４−［（２−ヒドロキシ−３−ドデシルオキシプロピル）オキシ］−２−ヒドロキシフェニル］−４，６−ビス（２，４−ジメチルフェニル）−１，３，５−トリジアンと、２−［４−［（２−ヒドロキシ−３−トリデシルオキシプロピル）オキシ］−２−ヒドロキシフェニル］−４，６−ビス（４，６−ビス（２，４−ジメチルフェニル））−１，３，５−トリジアンとの混合物）、「チヌビン４１１Ｌ」（２，４−ビス（２，４−ジメチルフェニル）−６−（２−ヒドロキシ−４−イソ−オクチルフェニル）−ｓ−トリアジン）等がある。
【００２９】
トリスレゾルシノールトリアジン系化合物としては、イソオクチル置換トリスレゾルシノールトリジアン（例えばチバ・スペシャルティ・ケミカル社製の商品名「ＣＧＬ７７７」）、ｔ−ブチル置換トリスレゾルシノールトリジアン、クミル置換トリスレゾルシノールトリアジン等がある。
【００３０】
上記紫外線吸収剤、染料及び顔料のうち少なくとも一つを添加することで、波長が約３００ｎｍから約３９５ｎｍまでの光を略１００％カットし、波長が約４０５ｎｍの光の透過率が約５０％以下となり、波長が約４５０ｎｍ以上の光の平均透過率が約５０％以上となるようにカット率及び透過率を調整する。なお、カバー５の透光性材料は、上記に限定されるものではなく、各波長における光のカット率及び透過率が調整できるものであればよい。例えば、ハロゲン化物等を添加することにより、各波長におけるカット率及び透過率を調整した硼珪酸系又はリン酸系等の透光性ガラスであってもよい。さらに、上記透光性材料からなる単層構造であってもよいし、上記透光性材料からなる複数の層を積層した積層体であってもよい。
【００３１】
また、カバー５は、透明又は白色（乳白色）であり、実施形態１では白色としている。カバー５を白色にすることで、たとえ長期間の使用等でカバー５の防虫構造の機能が劣化し、虫がカバー５の内部に侵入したり、カバー５の内部に虫の死骸が溜まったりしたとしても、カバー５には虫、又は虫の死骸の影が映るだけであり、外側からは直接見えないので、使用者への視覚的な不快感を低減させることができる。
【００３２】
このようなカバー５を本体４に取り付ける方法について説明する。先ず、カバー５を下方から持ち上げて、開口部５０から光源２をカバー５の内側に入れる。次に、カバー５の下側から見て右回り（時計回り）にカバー５を回転させていく。上記カバー５の回転により本体４の溝とカバー５の溝とが係合し、カバー５は本体４に固定される。
【００３３】
上記より、カバー５と本体４との間の隙間がなくなるので、虫がカバー５の内部に侵入したり、カバー５の内部に虫の死骸が溜まったりすることを防止する防虫構造となる。これにより、虫の死骸が溜まることによる照度の低下を抑制することができるとともに、掃除の手間を軽減することができる。なお、カバー５と本体４との間は完全に密閉されているものに限定されず、虫が侵入することができる寸法以下の隙間であればよい。
【００３４】
次に、実施形態１において、光源２から発光された光について説明する。光源２から発光された光は、照射方向に配置されたカバー５を透過する。このときに、波長が約３００ｎｍから約３９５ｎｍまでの光が略１００％カットされ、波長が約４０５ｎｍの光の透過率が約５０％以下となり、約４５０ｎｍ以上の光の平均透過率が約５０％以上となる。カバー５を透過した光は、部屋６を照射する。
【００３５】
以上、実施形態１によれば、紫外領域の光を低減して照明器具１からの光に誘引される虫の数を低減することができるので、虫が屋外（図示せず）から部屋６の内部に侵入することを防止することができる。また、照射光が黄色味を帯びることはなく、照明器具１の見掛けをよくすることができる。
【００３６】
なお、実施形態１の変形例として、図２（ｂ）に示すように、光源２ａとして、環状型蛍光灯に代わって、白熱電球又は電球型蛍光灯等を用いてもよい。上記の場合、照明器具１ａは、光源２ａ、本体４、カバー５ａ、ソケット７を備えている。ソケット７は、本体４上に設置され、光源２に電源（図示せず）からの電力を出力する。なお、照明器具１ａは、実施形態１と同様に、例えば部屋６の天井面６０、壁面等の住宅構造材に取り付けられている屋内用照明器具である。このような構成にしても、実施形態１と同様の効果を得ることができる。
【００３７】
（実施形態２）
実施形態２の照明器具１ｂは、図１に示すように、光源２、点灯回路３を実施形態１の照明器具１（図２（ａ）参照）と同様に備えているが、実施形態１の照明器具１にはない以下に記載の特徴部分がある。
【００３８】
照明器具１ｂは、非密閉型器具であり、本体４ａ及びカバー５ｂを備えている。本体４ａは、例えば白色のアクリル塗装、白色のアクリル紛体の接着が施された鋼板等であり、カバー５ｂの開口部の一部を塞ぐようにして設けられている。また、本体４ａは、波長が約３００ｎｍから約３９５ｎｍまでの光を略１００％カットし、波長が約４０５ｎｍの光の反射率が約５０％以下となり、波長が約４０５ｎｍ以上の光の平均反射率が約５０％以上となるようにカット率及び反射率が調整された反射面を形成するために、例えば紫外線吸収剤等を含む低誘虫性塗料を光源２側である底面４０ａの内面４００ａ、側面４１ａの内面４１１に塗布している。上記紫外線吸収剤としては、実施形態１のカバー５（図１参照）の紫外線吸収剤と同様の材料がある。なお、低誘虫塗料の膜厚は、限定されるものではないが、十分に高い紫外線吸収を行うためには２μｍ以上であることが好ましく、十分な耐久性を備えるとともに製造コストを抑制するためには５０μｍ以下であることが好ましい。また、本体４ａは、上記以外の点において、実施形態１の本体４（図２（ａ）参照）と同様である。
【００３９】
カバー５ｂは、開口部の周囲において、本体４ａと隙間５００を形成しながら、複数個所（図示せず）で接合している。カバー５ｂは、透過した光に対しては実施形態１のカバー５と同様に波長カット、吸収等を行うが、反射した光に対しては波長カット、吸収等をほとんど行わない。なお、カバー５ｂは、上記以外の点において、実施形態１のカバー５（図２（ａ）参照）と同様である。
【００４０】
次に、実施形態２において、光源２から発光された光について説明する。光源２から発光されカバー５ｂを透過した光は、実施形態１と同様である。これに対し、光源２から発光されカバー５ｂで反射した光は、内面４００ａ又は内面４１１に到達し、波長が約３００ｎｍから約３９５ｎｍまでの光が略１００％カットされ、波長が約４０５ｎｍの光の反射率が約５０％以下となり、波長が約４０５ｎｍ以上の光の平均反射率が約５０％以上となり反射する。上記反射した光の一部は、隙間５００を通って部屋６を照射する。残部は、カバー５ｂに到達し、上記を繰り返して最終的には部屋６を照射する。
【００４１】
上記より、隙間５００を通って部屋６を照射する光は、波長が約３００ｎｍから約３９５ｎｍまでの光が略１００％カットされ、波長が約４０５ｎｍの光の透過率が約５０％以下となり、波長が約４０５ｎｍ以上の光の平均透過率が約５０％以上となる。
【００４２】
以上、実施形態２によれば、実施形態１と同様の効果を得ることができる。また、予め決められた場所に虫を寄せ付けにくくすることができるとともに、カバー５ｂの汚れによる照度の低下を抑制することができる。さらに、光源２が本体４ａ及びカバー５ｂにより完全に覆われていない非密閉型器具であっても、虫が照明器具１の内部に侵入することを防止することができるので、使用者への視覚的な不快感を低減することができる。
【００４３】
（実施形態３）
実施形態３の照明器具１ｃは、図３に示すように、光源２、点灯回路３、カバー５を実施形態１の照明器具１（図２（ａ）参照）と同様に備えているが、実施形態１の照明器具１にはない以下に記載の特徴部分がある。
【００４４】
照明器具１ｃは、本体４ｂを備えている。本体４ｂは、例えばアクリル等からなり、光を透過させる透過性を有している。すなわち、本体４ｂは、カバー５のようにカット率及び透過率を調整していない。また、本体４ｂは、底面４０ｂの外面４０１ｂに凸部４２を備えている。これにより、底面４０ｂと天井面６０との間に隙間４２０が生じる。なお、本体４ｂは、上記以外の点において、実施形態１の本体４（図２（ａ）参照）と同様である。
【００４５】
次に、実施形態３において、光源２から発光された光について説明する。光源２から発光されカバー５を透過した光は、実施形態１と同様である。これに対し、光源２から発光され本体４ｂに到達した光は、波長カット、吸収等がほとんど行われずに、本体４ｂを透過して隙間４２０から部屋６を照射する。
【００４６】
以上、実施形態３によれば、実施形態１と同様の効果を得ることができる。また、予め決められた場所に虫を寄せ付けにくくすることができるとともに、カバー５の汚れによる照度の低下を抑制することができる。さらに、光源２から発光された光が本体４ｂを透過することによっても部屋６を照射することができるので、カバー５に汚れが付着する前から高い照度を確保することができる。カバー５の周辺より本体４ｂの周辺に虫が寄り付きやすくなり、虫が照明器具１の内部に侵入することを防止することができるので、使用者への視覚的な不快感を低減することができる。
【００４７】
（実施形態４）
実施形態４の照明器具１ｄは、図４に示すように、光源２、点灯回路３、本体４を実施形態１の照明器具１（図２（ａ）参照）と同様に備えているが、実施形態１の照明器具１にはない以下に記載の特徴部分がある。
【００４８】
照明器具１ｄは、カバー５ｃを備え、部屋６の天井面６０に設置されている。上記部屋６は、壁面６１に窓６２を備えている。カバー５ｃは、光源２を内側に取り囲む筒状を形成し、天井面６０と対向する位置に開口部５１を形成している。なお、カバー５ｃは、上記以外の点において、実施形態１のカバー５（図２（ａ）参照）と同様である。
【００４９】
次に、実施形態４において、光源２から発光された光について説明する。光源２から側面方向（図４の左右方向）に発光された光は、照射方向に配置されたカバー５ｃを透過する。このときに、波長が約３００ｎｍから約３９５ｎｍまでの光が略１００％カットされ、波長が約４０５ｎｍの光の透過率が約５０％以下となり、波長が約４５０ｎｍ以上の光の平均透過率が約５０％以上となる。カバー５ｃを透過した光は、部屋６の内部６３を照射する。これに対し、光源２から下側方向に発光された光は、カバー５ｃがなく開口部５１が形成されているので、波長カット、吸収等がなく、直接、部屋６の内部６４を照射する。上記より、窓６２及び屋外６５には、カバー５ｃを透過した光のみが照射するので、虫が窓６２から部屋６の内部６３に侵入することを防止することができる。
【００５０】
以上、実施形態４によれば、実施形態１と同様の効果を得ることができる。また、窓６２を含む内部６３に虫を寄せ付けにくくすることができるとともに、カバー５ｃの汚れによる照度の低下を抑制することができる。さらに、光源２から発光された光が開口部５１からも照射することができるので、カバー５ｃに汚れが付着する前から高い照度を確保することができる。
【００５１】
（実施形態５）
実施形態５の照明器具１ｅは、図５に示すように、光源、点灯回路、本体（全て図示せず）、カバー５ｃを実施形態４の照明器具１ｄ（図４参照）と同様に備えているが、実施形態４の照明器具１ｄにはない以下に記載の特徴部分がある。
【００５２】
照明器具１ｅは、支持部８を備え、部屋６に載置されている机６６に設置されているスタンド型照明器具である。支持部８は、カバー５ｃを支持している。
【００５３】
次に、実施形態５において、光源２から発光された光について説明する。光源２から側面方向（図５の左右方向）に発光された光は、照射方向に配置されたカバー５ｃを透過する。このときに、波長が約３００ｎｍから約３９５ｎｍまでの光が略１００％カットされ、波長が約４０５ｎｍの光の透過率が約５０％以下となり、波長が約４５０ｎｍ以上の光の平均透過率が約５０％以上となる。カバー５ｃを透過した光は、部屋６の内部６３ａを照射する。これに対し、光源２から下側方向に発光された光は、カバー５ｃがなく開口しているので、波長カット、吸収等がなく、直接、部屋６の内部６４ａを照射する。
【００５４】
以上、実施形態５によれば、窓６２及び屋外６５には、カバー５ｃを透過した光のみが照射するので、虫が窓６２から部屋６の内部６３ａに侵入することを防止することができる。また、照明器具１の下側は開口しているので、机上には高い照度が確保されるので、作業性を向上させることができる。
【００５５】
（実施形態６）
実施形態６の照明器具１ｆは、図６に示すように、点灯回路、本体（ともに図示せず）を実施形態４の照明器具１ｄ（図４参照）と同様に備えているが、実施形態４の照明器具１ｄにはない以下に記載の特徴部分がある。
【００５６】
照明器具１ｆは、光源２ｂ及びカバー５ｄを備えている。光源２ｂは、壁面６１に設置されている。カバー５ｄは、光源２ｂを挟んで壁面６１と対向する位置となる光源２の前側（図６の右側）、及び光源２の奥方向に設けられている。また、壁面６１とカバー５ｄとの間のうち、光源２の上側、下側及び手前側が開口している。なお、光源２ｂ及びカバー５ｄは、上記以外の点において、実施形態１の光源２及びカバー５（ともに図２（ａ）参照）とそれぞれ同様である。
【００５７】
次に、実施形態６において、光源２ｂから発光された光について説明する。光源２ｂから前側方向（図６の右方向）及び奥方向に発光された光は、照射方向に配置されたカバー５ｄを透過する。このときに、波長が約３００ｎｍから約３９５ｎｍまでの光が略１００％カットされ、波長が約４０５ｎｍの光の透過率が約５０％以下となり、約４５０ｎｍ以上の光の平均透過率が約５０％以上となる。カバー５ｄを透過した光は、部屋６の内部６３ｂを照射する。これに対し、光源２ｂから上下方向及び手前方向に発光された光は、カバー５ｄがなく開口しているので、波長カット、吸収等がなく、直接、部屋６の内部６４ｂを照射する。
【００５８】
以上、実施形態６によれば、窓６２及び屋外６５には、カバー５ｄを透過した光のみが照射するので、虫が窓６２から部屋６の内部６３ｂに侵入することを防止することができる。
【図面の簡単な説明】
【００５９】
【図１】本発明による実施形態２の照明器具の断面図である。
【図２】本発明による実施形態１の照明器具であって、（ａ）は光源が環状型蛍光灯である場合の断面図、（ｂ）は光源が白熱電球又は電球型蛍光灯である場合の断面図である。
【図３】本発明による実施形態３の照明器具の断面図である。
【図４】本発明による実施形態４の照明器具が設置された部屋の断面図である。
【図５】本発明による実施形態５の照明器具が設置された部屋の断面図である。
【図６】本発明による実施形態６の照明器具が設置された部屋の断面図である。
【符号の説明】
【００６０】
１，１ａ，１ｂ，１ｃ，１ｄ，１ｅ，１ｆ  照明器具
２，２ａ，２ｂ  光源
３  点灯回路
４，４ａ，４ｂ  本体
４０，４０ａ  底面
４１，４１ａ  側面
５，５ａ，５ｂ，５ｃ，５ｄ  カバー
５００  隙間
６  部屋
６０  天井面
【図１】
2006127915.tif 000003
【図２】
2006127915.tif 000004
【図３】
2006127915.tif 000005
【図４】
2006127915.tif 000006
【図５】
2006127915.tif 000007
【図６】
2006127915.tif 000008